(57)【要約】      （修正有）【課題】回転可能な部材と回転不能な部材の間に、化粧液が漏れ出して侵入することのない化粧品容器用漏れ止め構造を提供する。【解決手段】収容空間を有し、収容空間には、電源ユニット１２と、電源ユニットと電気的に連接するモータ１３と、連結具１５と、が設けられ、連結具は、本体の内部に回動可能に設けられ、モータに駆動可能である本体と、一端が連結具と同軸し連結具に連結され、他端にブラシヘッドが設けられるブラシロッド２０と、液体収容チェンバーと、ビン４０の一端に設けられる開口と、を有し、ブラシロッドが開口を経由して液体収容チェンバーに挿入されるビン４０と、を含み、ブラシロッドに傘形状ブッシュ２２が設けられ、本体とビンを結合するときには、傘形状ブッシュ２２の前縁が開口に密着される。【選択図】図１
0003156963.tif 000002
【実用新案登録請求の範囲】
【請求項１】
収容空間を有し、前記収容空間には、電源ユニットと、前記電源ユニットと電気的に連接するモータと、連結具と、が設けられ、前記連結具は、前記本体の内部に回動可能に設けられ、前記モータに駆動可能である本体と、
一端が前記連結具と同軸し前記連結具に連結され、他端にブラシヘッドが設けられるブラシロッドと、
液体収容チェンバーと、前記ビンの一端に設けられる開口と、を有し、前記ブラシロッドが前記開口を経由して前記液体収容チェンバーに挿入されるビンと、を含み、
前記ブラシロッドに密封ブッシュが設けられ、前記本体と前記ビンを結合するときには、前記密封ブッシュの前縁が前記開口に密着されることを特徴とする、化粧品容器用漏れ止め構造。
【請求項２】
前記モータと前記連結具の間には、更に、減速手段が設けられることを特徴とする、請求項１に記載の化粧品容器用漏れ止め構造。
【請求項３】
前記本体の側面にレールが設けられ、前記レールにスイッチが摺動可能に設けられ、前記スイッチは前記レールに沿って摺動し、これにより、前記スイッチは前記電源ユニットのオン・オフを切替えることができることを特徴とする、請求項１に記載の化粧品容器用漏れ止め構造。
【請求項４】
前記減速手段には、幾何形状断面シャフトが設けられ、前記連結具の末端には、幾何形状穴が設けられ、前記幾何形状断面シャフトが前記幾何形状穴に挿入され、そうすると、前記幾何形状断面シャフトは前記連結具と同期に回転することができることを特徴とする、請求項２に記載の化粧品容器用漏れ止め構造。
【請求項５】
前記ブラシヘッドは、マスカラ又はグロスを付けるためのブラシであることを特徴とする、請求項１に記載の化粧品容器用漏れ止め構造。
【請求項６】
更に、内ねじ付きブッシュを含み、前記内ねじ付きブッシュは、前記本体の前端に設けられ、内ねじを有し、
前記開口の外面に外ねじが設けられ、前記外ねじが前記内ねじ付きブッシュの内ねじと螺合し、前記開口の内面に樹脂ブッシュが設けられ、前記ブラシロッドが前記樹脂ブッシュを経由して前記液体収容チェンバーに挿入し、前記本体と前記ビンを結合するときには、前記密封ブッシュの前縁が前記樹脂ブッシュに密着されることを特徴とする、請求項１に記載の化粧品容器用漏れ止め構造。
【考案の詳細な説明】
【技術分野】
【０００１】
本考案は、化粧装置に係り、特に、化粧品容器用漏れ止め構造に関するものである。
【背景技術】
【０００２】
従来の化粧品をユーザの顔などに付ける道具の一つとして、回転可能なブラシロッドがあり、このようなブラシロッドによれば、ユーザの顔などにマスカラ又はグロスを快速で均一に付けることができる。
【０００３】
しかしながら、このようなブラシロッドを使用する場合には、ブラシロッドとケースなどの回転不能なものの間に化粧液が侵入し易く、このような化粧液が凝固すると、ブラシロッドが回転不能になり、これを修理することもできない問題があった。
【考案の概要】
【考案が解決しようとする課題】
【０００４】
本考案の主な目的は、回転可能な部材と回転不能な部材の間に、化粧液が漏れ出して侵入することのない化粧品容器用漏れ止め構造を提供することにある
【課題を解決するための手段】
【０００５】
本考案の化粧品容器用漏れ止め構造によると、収容空間を有し、前記収容空間には、電源ユニットと、前記電源ユニットと電気的に連接するモータと、連結具と、が設けられ、前記連結具は、前記本体の内部に回動可能に設けられ、前記モータに駆動可能である本体と、一端が前記連結具と同軸し前記連結具に連結され、他端にブラシヘッドが設けられるブラシロッドと、液体収容チェンバーと、前記ビンの一端に設けられる開口と、を有し、前記ブラシロッドが前記開口を経由して前記液体収容チェンバーに挿入されるビンと、を含み、前記ブラシロッドに密封ブッシュが設けられ、前記本体と前記ビンを結合するときには、前記密封ブッシュの前縁が前記開口に密着されることを特徴とする。
【０００６】
本考案の化粧品容器用漏れ止め構造によると、前記モータと前記連結具の間には、更に、減速手段が設けられることを特徴とする。
【０００７】
本考案の化粧品容器用漏れ止め構造によると、前記本体の側面にレールが設けられ、前記レールにスイッチが摺動可能に設けられ、前記スイッチは前記レールに沿って摺動し、これにより、前記スイッチは前記電源ユニットのオン・オフを切替えることができることを特徴とする。
【０００８】
本考案の化粧品容器用漏れ止め構造によると、前記減速手段には、幾何形状断面シャフトが設けられ、前記連結具の末端には、幾何形状穴が設けられ、前記幾何形状断面シャフトが前記幾何形状穴に挿入され、そうすると、前記幾何形状断面シャフトは前記連結具と同期に回転することができることを特徴とする。
【０００９】
本考案の化粧品容器用漏れ止め構造によると、前記ブラシヘッドは、マスカラ又はグロスを付けるためのブラシであることを特徴とする。
【００１０】
本考案の化粧品容器用漏れ止め構造によると、更に、内ねじ付きブッシュを含み、前記内ねじ付きブッシュは、前記本体の前端に設けられ、内ねじを有し、前記開口の外面に外ねじが設けられ、前記外ねじが前記内ねじ付きブッシュの内ねじと螺合し、前記開口の内面に樹脂ブッシュが設けられ、前記ブラシロッドが前記樹脂ブッシュを経由して前記液体収容チェンバーに挿入し、前記本体と前記ビンを結合するときには、前記密封ブッシュの前縁が前記樹脂ブッシュに密着されることを特徴とする。
【考案の効果】
【００１１】
本考案の化粧品容器用漏れ止め構造によれば、回転可能な部材と回転不能な部材の間に、化粧液が漏れ出して侵入することがないという効果を有する。
【図面の簡単な説明】
【００１２】
【図１】本考案の第１実施例の化粧品用漏れ止め構造の分解斜視図である。
【図２】本考案の第１実施例の化粧品用漏れ止め構造の組合状態の斜視図である。
【図３】本考案の第１実施例の化粧品用漏れ止め構造の分解状態の断面図である。
【図４】本考案の第１実施例の化粧品用漏れ止め構造の組合状態の断面図である。
【図５】本考案の第２実施例の化粧品用漏れ止め構造の組合状態の断面図である。
【考案を実施するための形態】
【００１３】
以下、本考案の実施の形態を図面に基づいて説明する。
まず、図１から図４を参照する。本考案の第１実施例の化粧品容器用漏れ止め構造は、本体１０と、ブラシロッド２０と、内ねじ付きブッシュ３０と、ビン４０と、握りスリーブ５０と、を含む。
【００１４】
前記本体１０は、収容空間と、前記本体１０の前端に設けられた凸縁１１と、を有し、前記収容空間には、電源ユニット１２（例えば電池を直列接続し、又は並列接続して構成される）と、モータ１３と、減速手段１４と、連結具１５と、が設けられる。前記電源ユニット１２は前記モータ１３と電気的に連接する。前記連結具１５は、前記凸縁１１に回動可能に設けられ、前記モータ１３に駆動されることができる。前記減速手段１４は、前記連結具１５と前記モータ１３の間に設けられ、前記連結具１５の回転数を減少するためのものである。前記減速手段１４に幾何形状の断面を有するシャフト１６が設けられ、前記連結具１５の末端には、前記シャフト１６（本実施例では、その断面形状が十字形を呈する）に対応する幾何形状穴１７（本実施例では、十字形を呈する）が設けられ、前記シャフト１６が前記幾何形状穴１７に挿入されて同期に回転可能になる。前記本体１０の周面には、更に、スイッチが設けられ、前記スイッチにより前記電源ユニット１２の電流の前記モータ１３への供給を制御することができ、本実施例では、前記本体１０の側面に径方向に沿うレール１８が設けられ、前記レール１８にスイッチ１９が摺動可能に設けられ、前記スイッチ１９は前記レール１８に沿って摺動し、これにより、前記スイッチ１９は前記電源ユニット１２のオン・オフを切替えることができる。前記握りスリーブ５０は前記本体１０の周面に回動可能に設けられ、前記スイッチ１９の周面に傾斜溝１９１が設けられ、前記握りスリーブ５０の内面にピン５１が設けられ、前記ピン５１は前記傾斜溝１９１に摺動可能に設けられる。そうすると、ユーザが前記握りスリーブ５０を握って回転するときには、前記ピン５１が前記傾斜溝１９１に沿って摺動し、スイッチ１９が前記ピン５１に押えられてレール１８を摺動し、これにより、前記電源ユニット１２のオン・オフを切替えることができる。
【００１５】
前記ブラシロッド２０は、一端が前記連結具１５と同軸し前記連結具１５に連結され、例えば連結具の前端に固定穴を設けて、前記固定穴に前記ブラシロッド２０の一端を挿入することにより、前記ブラシロッド２０は前記連結具１５と共に回転可能になり、もちろん、前記ブラシロッド２０と前記連結具１５は一体成形されるものでもよい。前記ブラシロッド２０の他端にブラシヘッド２１が設けられ、本実施例では、前記ブラシヘッド２１はマスカラを付けて睫毛に塗布するためのものであり、もちろん、前記ブラシヘッド２１はグロスを付けて唇に塗布するためのものでもよい。
【００１６】
前記内ねじ付きブッシュ３０は前記本体１０の前端に設けられ、具体的には、前記内ねじ付きブッシュ３０の前記本体１０に対向する面に結合穴が複数設けられ、前記本体１０の前端に結合ピンが複数設けられ、前記結合穴に前記結合ピンを挿入することにより、前記内ねじ付きブッシュ３０と前記本体１０を結合することができる。前記内ねじ付きブッシュ３０の内面には、内ねじが形成される。前記内ねじ付きブッシュ３０の周面には、更に、外ブッシュ６０が設けられ、前記外ブッシュ６０の外面は前記握りスリーブ５０の外面と揃う。
【００１７】
前記ビン４０は、化粧液（例えばマスカラ）を収容する液体収容チェンバー４１と、前記ビン４０の一端に設けられる開口４２と、を有し、前記開口４２の周面には、前記内ねじ付きブッシュ３０の内ねじと螺合する外ねじが設けられ、前記開口の内面に樹脂ブッシュ４３が設けられ、前記ブラシロッド２０が前記開口４２を経由して前記液体収容チェンバー４１に挿入される。前記樹脂ブッシュ４３は、小径なネック部４４を有し、前記ネック部４４により前記ブラシヘッド２１に付けられる余計なマスカラをスクレイプすることができる。
【００１８】
回転可能な部材（例えばブラシロッド、連結具）と回転不能な部材（例えば内ねじ付きブッシュ、本体）の間に化粧液が侵入することを防止するために、前記ブラシロッド２０に密封ブッシュが一体に成形され、前記密封ブッシュは、傘形状を呈していもいいし、ボール形状を呈していもいいし、その他の適当な形状を呈してもよい。密封ブッシュとされ傘形状を呈する傘形状ブッシュ２２は、前記凸縁１１と前記連結具１５の一端とを丁度覆い、前記ビン４０と前記内ねじ付きブッシュ３０を螺合するときには、図４に示すように、前記傘形状ブッシュ２２の前縁が前記樹脂ブッシュ４３に密着され、そうすると、前記液体収容チェンバー４１が完全に封止され、回転可能な部材と回転不能な部材の間に化粧液が侵入することを防止することができる。また、傘形状ブッシュ２２は前記凸縁１１と前記連結具１５の一端とを丁度覆うので、前記液体収容チェンバー４１から前記ブラシロッド２０を引出すときには、一部の化粧液が前記ブラシロッド２０に付着され、前記傘形状ブッシュ２２により、この化粧液が前記凸縁１１と前記連結具１５の間に侵入することはなく、化粧液の凝固により前記ブラシロッド２０が回転不能になることを回避することができる。
【００１９】
上記では、種々の実施の形態および変形例を説明したが、本考案はこれらの内容に限定されるものではない。本考案の技術的思想の範囲内で考えられるその他の態様も本考案の範囲内に含まれる。
【産業上の利用可能性】
【００２０】
本考案は、化粧品容器に適用することができる。
【符号の説明】
【００２１】
１０      本体
１１      凸縁
１２      電源ユニット
１３      モータ
１４      減速手段
１５      連結具
１６      シャフト
１７      幾何形状穴
１８      レール
１９      スイッチ
２０      ブラシロッド
２１      ブラシヘッド
２２      傘形状ブッシュ
３０      内ねじ付きブッシュ
４０      ビン
４１      液体収容チェンバー
４２      開口
４３      樹脂ブッシュ
４４      ネック部
５０      握りスリーブ
５１      ピン
６０      外ブッシュ
１９１    傾斜溝
【図１】
0003156963.tif 000003
【図２】
0003156963.tif 000004
【図３】
0003156963.tif 000005
【図４】
0003156963.tif 000006
【図５】
0003156963.tif 000007
【手続補正書】
【提出日】平成21年11月25日(2009.11.25)
【手続補正１】
【補正対象書類名】実用新案登録請求の範囲
【補正対象項目名】全文
【補正方法】変更
【補正の内容】
【実用新案登録請求の範囲】
【請求項１】
本体と、ブラシロッドと、ビンと、を含む化粧品容器用漏れ止め構造であって、
前記本体は、収容空間を有し、前記収容空間には、電源ユニットと、前記電源ユニットと電気的に連接するモータと、連結具と、が設けられ、前記連結具は、前記本体の内部に回動可能に設けられ、前記モータに駆動可能であり、
前記ブラシロッドは、一端が前記連結具と同軸し前記連結具に連結され、他端にブラシヘッドが設けられ、
前記ビンは、液体収容チェンバーと、前記ビンの一端に設けられる開口と、を有し、前記ブラシロッドは前記開口を経由して前記液体収容チェンバーに挿入される一方、
前記ブラシロッドに密封ブッシュが設けられ、前記本体と前記ビンを結合するときには、前記密封ブッシュの前縁が前記開口に密着されることを特徴とする、化粧品容器用漏れ止め構造。
【請求項２】
前記モータと前記連結具の間には、更に、減速手段が設けられることを特徴とする、請求項１に記載の化粧品容器用漏れ止め構造。
【請求項３】
前記本体の側面にレールが設けられ、前記レールにスイッチが摺動可能に設けられ、前記スイッチは前記レールに沿って摺動し、これにより、前記スイッチは前記電源ユニットのオン・オフを切替えることができることを特徴とする、請求項１に記載の化粧品容器用漏れ止め構造。
【請求項４】
前記減速手段には、幾何形状断面シャフトが設けられ、前記連結具の末端には、幾何形状穴が設けられ、前記幾何形状断面シャフトが前記幾何形状穴に挿入され、そうすると、前記幾何形状断面シャフトは前記連結具と同期に回転することができることを特徴とする、請求項２に記載の化粧品容器用漏れ止め構造。
【請求項５】
前記ブラシヘッドは、マスカラ又はグロスを付けるためのブラシであることを特徴とする、請求項１に記載の化粧品容器用漏れ止め構造。
【請求項６】
更に、内ねじ付きブッシュを含み、前記内ねじ付きブッシュは、前記本体の前端に設けられ、内ねじを有し、
前記開口の外面に外ねじが設けられ、前記外ねじが前記内ねじ付きブッシュの内ねじと螺合し、前記開口の内面に樹脂ブッシュが設けられ、前記ブラシロッドが前記樹脂ブッシュを経由して前記液体収容チェンバーに挿入し、前記本体と前記ビンを結合するときには、前記密封ブッシュの前縁が前記樹脂ブッシュに密着されることを特徴とする、請求項１に記載の化粧品容器用漏れ止め構造。